(57)【要約】【課題】  小型端末装置において回路基板とフラットケーブルとを簡単に接続することのできる構造を提供することを課題とする。【解決手段】  図（ａ）において、導電部品３０は、金属板の一部を下方に折り曲げて第１バネ部３６を形成し、この第１バネ部３６の最下部に下部接点１６を割り当て、金属板の別の一部を上方に折り曲げて第２バネ部３７を形成し、この第２バネ部３７の最上部に上部接点１７を割り当てる。導電部品３０の自由高さＨｆは、絶縁性部材３２の高さ寸法Ｈ２より大きく設定する。回路基板１２に導電部品３０を載せる。次に、液晶表示パネル１３の下面にフラットケーブル１４の先端の第２端子部１５を臨ませる。この第２端子部１５を第２バネ部３７に当てる。（ｂ）は完成図を示す。【効果】  従来実施していた、コネクタの差し込み並びに雌雄嵌合が不要であるため、回路基板とフラットケーブルとの接続作業を簡単にすることができ、生産性を向上させることができる。【選択図】      図４
2007035329.tif 000002
【特許請求の範囲】
【請求項１】
上面に第１端子部を備えた回路基板と、この回路基板の上方に一定の間隔を保って配置する液晶表示パネルと、この液晶表示パネルの一端から延ばすとともに折り曲げることで先端が液晶表示パネルの下面に臨むようにするフラットケーブルと、このフラットケーブルの先端に設けた第２端子部と、前記第１端子部に当てる下部接点及び前記第２端子部に当てる上部接点を備え自由高さが前記一定の間隔より大きくて弾性部材で構成した弾性変形可能な導電部品と、からなり、この導電部品を前記第１端子部と第２端子部とで圧縮することで、第１端子部と第２端子部とを電気的に接続することを特徴とする小型端末装置。
【請求項２】
前記導電部品は、金属板の一部を下方に折り曲げて第１バネ部を形成し、この第１バネ部の最下部に前記下部接点を割り当て、金属板の別の一部を上方に折り曲げて第２バネ部を形成し、この第２バネ部の最上部に前記上部接点を割り当てたことを特徴とする請求項１記載の小型端末装置。
【請求項３】
前記金属板の基部を絶縁性部材で覆い、前記回路基板に立てた位置決めピンに嵌合する位置決め穴を前記絶縁性部材に開けたことを特徴とする請求項２記載の小型端末装置。
【請求項４】
前記絶縁性部材の高さ寸法を、前記一定の間隔に合わせたことを特徴とする請求項３記載の小型端末装置。
【発明の詳細な説明】
【技術分野】
【０００１】
本発明は携帯電話などの小型端末装置の改良に関する。
【背景技術】
【０００２】
携帯電話と称する小型端末装置の普及はめざましい。今後も需要増加が見込めるため、大量生産に適応した構造が必要となる。大量生産では差し込み作業が必須となるコネクタがネックとなる。
【０００３】
小型端末装置のコネクタを対象とした改良技術が提案されている（例えば、特許文献１参照。）。
【特許文献１】特開２００５−１３６３２８公報（図１、図６）
【０００４】
特許文献１を次図に基づいて説明する。
図８は従来の小型端末装置の斜視図及び要部の斜視図である。
（ａ）において、小型端末装置１００は、液晶表示パネル１０１を支える第１筐体１０２と、ヒンジ１０３を介して繋ぐ第２筐体１０４とからなる。この第２筐体１０４には次図で述べる回路基板を収納し、この回路基板と液晶表示パネル１０１とはフレキシブル配線板と称するフラットケーブルで電気的に接続する。
【０００５】
（ｂ）は従来の回路基板とフラットケーブルとの接続を説明する図であり、回路基板１０５の上面に第１端子部１０６が設けられ、また、フラットケーブル１０７の先端１０８には第２端子部１０９が設けられている。そして、第１端子部１０６に第２端子部１０９を嵌合することで、電気的接続を完了する。
【０００６】
特許文献１では二つ折り型携帯電話を例示したが、二つ折り型でない携帯電話、すなわち１個の筐体に回路基板を収めると共に筐体の一面に液晶表示パネルを配置するものも数多く実用に供されている。二つ折り型でない携帯電話に特許文献１の技術を適用した例を次図で説明する。
【０００７】
図９は従来の別の小型端末装置の断面図であり、この小型端末装置１００Ｂは、１個の筐体１１０に回路基板１０５を収め、筐体１１０の上面に液晶表示パネル１０１を嵌め、この液晶表示パネル１０１から延ばしたフラットケーブル１０７の先端の第２端子部１０９を第１端子部１０６に嵌合してなる。
【０００８】
第１端子部１０６に第２端子部１０９を嵌める作業は人手で行う。先ず、小型端末装置１０Ｂでは筐体１１０が小型であるため、筐体１１０内へ指先を差し入れて端子の接続作業を行うと作業時間が長くなる。そこで、筐体１１０の底部１１１を着脱可能に構成し、接続作業の簡単化を図ることが考えられる。この場合は、筐体１１０の構造が複雑になり、小型端末装置１０Ｂのコストアップに繋がる。
このように、従来の回路基板１０５とフラットケーブル１０７との接続構造に改良の余地がある。
【発明の開示】
【発明が解決しようとする課題】
【０００９】
本発明は、小型端末装置において回路基板とフラットケーブルとをより簡単に接続することのできる構造を提供することを課題とする。
【課題を解決するための手段】
【００１０】
請求項１に係る発明は、上面に第１端子部を備えた回路基板と、この回路基板の上方に一定の間隔を保って配置する液晶表示パネルと、この液晶表示パネルの一端から延ばすとともに折り曲げることで先端が液晶表示パネルの下面に臨むようにするフラットケーブルと、このフラットケーブルの先端に設けた第２端子部と、前記第１端子部に当てる下部接点及び前記第２端子部に当てる上部接点を備え自由高さが前記一定の間隔より大きくて弾性部材で構成した弾性変形可能な導電部品と、からなり、この導電部品を前記第１端子部と第２端子部とで圧縮することで、第１端子部と第２端子部とを電気的に接続することを特徴とする。
【００１１】
請求項２に係る発明では、導電部品は、金属板の一部を下方に折り曲げて第１バネ部を形成し、この第１バネ部の最下部に前記下部接点を割り当て、金属板の別の一部を上方に折り曲げて第２バネ部を形成し、この第２バネ部の最上部に前記上部接点を割り当てたことを特徴とする。
【００１２】
請求項３に係る発明では、金属板の基部を絶縁性部材で覆い、前記回路基板に立てた位置決めピンに嵌合する位置決め穴を前記絶縁性部材に開けたことを特徴とする。
【００１３】
請求項４に係る発明では、絶縁性部材の高さ寸法を、前記一定の間隔に合わせたことを特徴とする。
【発明の効果】
【００１４】
請求項１に係る発明では、回路基板に弾性変形可能な導電部品を当て、この導電部品にフラットケーブルの先端を当て、このフラットケーブルの先端を液晶表示パネルの下面で押し下げるだけで、回路基板とフラットケーブルとの電気的接続を完成させることができる。
従来実施していた、コネクタの差し込み並びに雌雄嵌合が不要であるため、回路基板とフラットケーブルとの接続作業を簡単にすることができ、生産性を向上させることができる。
【００１５】
請求項２に係る発明では、金属板を折り曲げた導電部品を採用する。金属板を折り曲げるだけであるから、導電部品の低コスト化を容易に達成することができる。
【００１６】
請求項３に係る発明では、位置決めピンに位置決め穴を合わせることで、回路基板の所定位置に絶縁性部材を取り付けることができ、結果として、回路基板に簡単に導電部品をセットすることができ、組立作業を容易にすることができる。
【００１７】
請求項４に係る発明では、回路基板に絶縁性部材を載せ、この絶縁性部材に液晶表示パネルを載せることで端末装置の組立が完了する。したがって、端末装置の組立作業をより簡単化することができる。
【発明を実施するための最良の形態】
【００１８】
本発明を実施するための最良の形態を添付図に基づいて以下に説明する。
図１は本発明に係る小型端末装置の断面図であり、小型端末装置１０は、上面に第１端子部１１を備えた回路基板１２と、この回路基板１２の上方に一定の間隔Ｌ１を保って配置する液晶表示パネル１３と、この液晶表示パネル１３の一端から延ばすとともに折り曲げることで先端が液晶表示パネル１３の下面に臨むようにするフラットケーブル１４と、このフラットケーブル１４の先端に設けた第２端子部１５と、第１端子部１１に当てる下部接点１６及び第２端子部１５に当てる上部接点１７を備え自由高さ（図４のＨｆ）が一定の間隔Ｌ１より大きくて弾性部材で構成した弾性変形可能な導電部品３０と、を筐体１８に収納してなる。
【００１９】
図２は本発明に係る小型端末装置の要部の分解斜視図であり、回路基板１２の上面に複数の第１端子部１１・・・（・・・は複数を示す。以下同様）を一列に並べて設けるとともに、２本の位置決めピン１９、１９を設けたことを示す。また、フラットケーブル１４は可撓性フィルム２１に複数本の配線２２・・・を埋設してなる。これらの配線２２・・・の先端は第２端子部１５・・・に接続する。
【００２０】
導電性部品３０の詳細は後述するが、位置決めピン１９、１９に対応する位置決め穴３１、３１を備えた角柱状の絶縁性部材３２を有する。
【００２１】
図３は本発明に係る導電部品の製造法の一例を示す図である。
（ａ）において、打ち抜き法により、導電性で且つ鋸歯状の金属板３３を製造する。そして、歯３４の前半部分に切れ目３５を入れる。さらに、切れ目３５の左側を図面奥に窪ませることで第１バネ部３６を形成し、切れ目３５の右側を図手前に凸にすることで第２バネ部３７を形成する（図４参照）。
【００２２】
（ｂ）において、歯３４の後半部分に、絶縁性樹脂を被せることで、絶縁性部材３２を取り付ける。この絶縁性部材３２に沿わせた切断線３８に沿って、金属板３３を切断する。
（ｃ）は完成した導電部品３０を示す。
以上の製造法により、多数個の第１バネ部３６・・・及び第２バネ部３７・・・を備えた導電部品３０を容易に作製することができる。
【００２３】
図４は本発明に係る小型端末装置の組立要領図である。
（ａ）において、導電部品３０は、金属板の一部を下方に折り曲げて第１バネ部３６を形成し、この第１バネ部３６の最下部に下部接点１６を割り当て、金属板の別の一部を上方に折り曲げて第２バネ部３７を形成し、この第２バネ部３７の最上部に上部接点１７を割り当てたことを特徴とする。
加えて、導電部品３０の自由高さＨｆは、絶縁性部材３２の高さ寸法Ｈ２より大きく設定する。（Ｈｆ−Ｈ２）／２が、縮み代になる。
【００２４】
そして、回路基板１２に導電部品３０を載せる。次に、液晶表示パネル１３の下面にフラットケーブル１４の先端の第２端子部１５を臨ませる。この第２端子部１５を第２バネ部３７に当てる。
【００２５】
（ｂ）では、位置決めピン１９と位置決め穴３１との作用で絶縁性部材３２が回路基板に位置決めでき、第１端子部１１に第１バネ部３６が接触し、第２バネ部３７が第２端子１５に接触していることを示す。第１バネ部３６及び第２バネ部３７のスプリング作用により、第１端子部１１や第２端子部１５に導電部品３０が常に接触して導電作用を発揮する。
【００２６】
この結果、回路基板１２の第１端子部１１は導電部品３０を介してフラットケーブル１４の第２端子部１５に電気的に接続し、フラットケーブル１４を介して液晶表示パネル１３を回路基板１２に電気的に接続することができたと言える。
従来実施していた、コネクタの差し込み並びに雌雄嵌合が不要であるため、回路基板１２とフラットケーブル１４との接続作業を簡単にすることができ、生産性を向上させることができることは明らかである。
【００２７】
図５は本発明に係る導電部品の変更例を示す図である。
（ａ）の導電部品３０は金属板３３の一部を切り起こすことで、第２バネ部３７を形成し、残部を第１バネ部３６とした。第２バネ部３７は片持ち梁形状を呈し、第１バネ部３６も左右２本の片持ち梁形状を呈することに形状的な特徴を有する。
（ｂ）の導電部品３０も金属板３３の一部を切り起こすことで、第２バネ部３７を形成し、残部を第１バネ部３６とした。第２バネ部３７は片持ち梁形状を呈し、第１バネ部３６は口の字形状を呈することに形状的な特徴を有する。
【００２８】
（ｃ）の導電部品３０は金属板３３の一部を切り起こすことで、平面視でＬ字形状の第２バネ部３７を形成し、残部を第１バネ部３６とした。第２バネ部３７はＬ字形状にしたため当たり面の面積を拡大することができる。
（ｄ）の導電部品３０は金属板３３の一部を切り起こし、さらに折り曲げることで、折り鶴の頭の形状に第２バネ部３７を形成した。残部は第１バネ部３６とした。
【００２９】
図６は本発明に係る導電部品のさらなる変更例を示す図である。
（ａ）の導電部品３０は金属板３３に凸部３９と凹部４１とを形成し、凸部３９と凹部４１との間にハーフスリット４２を入れたことを特徴とする。
（ｂ）は（ａ）の断面図であり、凹部４１を第１端子部１１に当て、凸部３９を第２端子部１５に当てる。ただし、凸部３９及び凹部４１は弾性変形量が少ないため、ハーフスリット４２を設けることにより凸部３９と凹部４１とが相対的に変位するように構成した。
【００３０】
（ｃ）の導電部品３０は金属板３３に円弧部４３を形成したことを特徴とする。
（ｄ）は（ｃ）の断面図であり、円弧部４３の中央部４４を第２端子部１５に当て、円弧部４３の両端部４５、４５を第１端子部１１に当てる。
このように導電部品３０は種々の形状にすることができる。
【００３１】
図７は本発明に係る樹脂製導電部品のを示す図である。
（ａ）の導電部品３０は、弾性変形性を有する樹脂板４６に第１バネ部３６・・・と第２バネ部３７・・・とを直列に形成してなる。
（ｂ）は作用図であり、第１端子部１１に第１バネ部３６を当て、第２バネ部３７を第２端子部１５に当てる。
【００３２】
（ｃ）は（ｂ）のＣ部拡大断面図であり、ポリイミド製の樹脂板４６に銅の無電解めっき層４７を被せ、この無電解めっき層４７にニッケルの電解めっき層４８を被せ、この電解めっき層４８に金の電解めっき層４９を被せる。樹脂板４６は絶縁材であるが、金の電解めっき層４９が導電通路となり、（ｂ）に示す第１バネ部３６と第２バネ部３７とを電気的に導通し、第１端子部１１と第２端子部１５とを電気的に接続することができる。
したがって導電部品３０は金属、樹脂、その他の弾性材料で構成することができる。
【００３３】
樹脂板４６の材質はポリイミドを例示したが、フラットケーブルに採用できるものであればその他の樹脂材料であっても差し支えない。また、めっき層４８、４９の材質はニッケル、金を例示したが、通電性金属であれば種類は問わない。さらには、めっき層の層数も任意である。
【００３４】
尚、本発明は、いわゆる携帯電話に好適であるが、無線の送受話器など小型端末装置であれば、種類は問わない。
【産業上の利用可能性】
【００３５】
本発明は、いわゆる携帯電話に好適である。
【図面の簡単な説明】
【００３６】
【図１】本発明に係る小型端末装置の断面図である。
【図２】本発明に係る小型端末装置の要部の分解斜視図である。
【図３】本発明に係る導電部品の製造法の一例を示す図である。
【図４】本発明に係る小型端末装置の組立要領図である。
【図５】本発明に係る導電部品の変更例を示す図である。
【図６】本発明に係る導電部品のさらなる変更例を示す図である。
【図７】本発明に係る樹脂製導電部品のを示す図である。
【図８】従来の小型端末装置の斜視図及び要部の斜視図である。
【図９】従来の別の小型端末装置の断面図である。
【符号の説明】
【００３７】
１０…小型端末装置、１１…第１端子部、１２…回路基板、１３…液晶表示パネル、１４…フラットケーブル、１５…第２端子部、１６…下部接点、１７…上部接点、１８…筐体、１９…位置決めピン、３０…導電部品、３１…位置決め穴、３２…絶縁性部材、３３…金属板、３６…第１バネ部、３７…第２バネ部、Ｌ１…一定の間隔、Ｈ２…絶縁性部材の高さ寸法。
【図１】
2007035329.tif 000003
【図２】
2007035329.tif 000004
【図３】
2007035329.tif 000005
【図４】
2007035329.tif 000006
【図５】
2007035329.tif 000007
【図６】
2007035329.tif 000008
【図７】
2007035329.tif 000009
【図８】
2007035329.tif 000010
【図９】
2007035329.tif 000011